(57)【要約】【課題】収納領域への書類の挿入を容易に行い得るポケット型ファイルを提供する。【解決手段】本発明に係るポケット型ファイルは、表裏のシート間に収納領域を形成するとともに前記両シートの端縁間に前記収納領域に収納物を挿入するための開口部を形成したポケットと、このポケットの開口部から前記収納領域内に挿入された中紙とを備えたポケット型ファイルであって、前記中紙が、前記収納領域の略全域に対応する面積を有した折り畳み部分のない単葉体であり、この中紙及び前記シートの少なくとも一方に、前記中紙と前記シートの全面的な密着を抑止して前記開口部における前記中紙と前記シートとの間に隙間を形成するための隙間形成要素を設けたことを特徴とする。【選択図】図４
2017105033.tif 000002
【特許請求の範囲】
【請求項１】
表裏のシート間に収納領域を形成するとともに前記両シートの端縁間に前記収納領域に収納物を挿入するための開口部を形成したポケットと、このポケットの開口部から前記収納領域内に挿入された中紙とを備えたポケット型ファイルであって、
前記中紙が、前記収納領域の略全域に対応する面積を有した折り畳み部分のない単葉体であり、この中紙及び前記シートの少なくとも一方に、前記中紙と前記シートの全面的な密着を抑止して前記開口部における前記中紙と前記シートとの間に隙間を形成するための隙間形成要素を設けたことを特徴とするポケット型ファイル。
【請求項２】
前記隙間形成要素が、前記中紙に設けられている請求項１記載のポケット型ファイル。
【請求項３】
前記隙間形成要素が少なくとも前記開口部の開口縁近傍で前記中紙を厚み方向に凹凸変形させた凹凸部分であり、この凹凸部分が前記開口部の開口縁に直交する方向に延びる請求項２記載のポケット型ファイル。
【請求項４】
前記隙間形成要素が前記凹凸部分を複数有するものであり、
前記凹凸部分が、前記表のシートへ向かって突出する凸要素及び前記裏のシートへ向かって突出する凹要素を有している請求項３記載のポケット型ファイル。
【請求項５】
前記中紙が前記収納領域の全域に亘って挿入される挿入部分と、この挿入部分を挿入した状態で前記開口部から前記収納領域の外側に露出する露出部分を有するものであり、
前記隙間形成要素が前記挿入部分及び前記露出部分に亘って設けられている請求項２、３又は４記載のポケット型ファイル。
【請求項６】
前記隙間形成要素が、前記収納領域内における前記開口部近傍で当該開口部を形成する前記両シートの開口縁の延出方向に沿って前記中紙を厚み方向に変形させた厚み変形部分である請求項２記載のポケット型ファイル。
【請求項７】
前記中紙が前記収納領域の全域に亘って挿入される挿入部分と、この挿入部分を挿入した状態で前記開口部から前記収納領域の外側に露出する露出部分を有するものであり、
前記隙間形成要素が、前記挿入部分及び前記露出部分に亘って前記中紙に設けられた孔である隙間形成孔としている請求項２記載のポケット型ファイル。
【発明の詳細な説明】
【技術分野】
【０００１】
本発明は、クリヤーブック等のリフィルとして用いられる紙葉類を保管しておくためのポケット型ファイルに関するものである。
【背景技術】
【０００２】
従来、合成樹脂からなる袋状のクリヤーブック替紙と呼ばれているポケット型ファイルが、紙葉類を好適に収容し得るものとして広く用いられている。これらのもののうちの多くは、綴じ具に対し着脱可能に綴じられるための綴じ孔が形成された矩形状をなす表裏のシートからなるポケットを主体としたものであり、当該ポケットの周縁のうち一部に設けられた開口部から内部の収納領域に紙等の紙葉類を挿入し当該紙葉類を収容可能な構成を有している。
【０００３】
斯かるポケット型ファイルのうち周知な構成としてはこれまでにも実開昭６０−１０１９２５号公報に示されるような、開口部を形成する開口縁の部分において表裏のシートの形状を正面視でそれぞれ異なる形状とし、これにより形成される両シート間の正面視でずれた部分から紙葉類を挿入し易くしたものが数多く存在する。
【０００４】
また、表裏のシートの形状を変更しない態様としながら収納領域へ紙葉類を挿入し易くするためのものとしては、予め当該収納領域略全域に亘る大きさを有する中紙を挿入しておき、この中紙の形状を前記収納領域の端縁近傍にて折り返し一部を二重とする形状としたものが挙げられる（例えば、特許文献１参照）。すなわち当該文献に係るポケット型ファイルは、当該中紙の折り返された部分において表裏のシート間に隙間が形成され、収納領域への紙葉類の挿入がこの隙間を利用することにより行い易いようにしたものである。
【先行技術文献】
【特許文献】
【０００５】
【特許文献１】実開昭６２−１９１４６９号公報
【発明の概要】
【発明が解決しようとする課題】
【０００６】
しかしながら上記の周知な構成のものは表裏のシートの形状を敢えて異なる形状とする製造上の手間を要するとともに、当該形状如何によって、及び開口縁における部位によって紙葉類の挿入し易さにムラができてしまうという点を回避し切れていない。
【０００７】
上記特許文献１のものは、表裏のシート間の隙間に中紙がなんら干渉しなければ紙葉類を開口の何れの部分からも容易に挿入し得るものの、折り返された中紙の一部自体が紙葉類に干渉してしまう可能性を排除できていない。
【０００８】
本発明は、このような不具合に着目したものであり、簡素な構成としながらも収納領域への書類の挿入を容易に行い得るポケット型ファイルを提供することを目的としている。
【課題を解決するための手段】
【０００９】
本発明は、このような目的を達成するために、次のような手段を講じたものである。
【００１０】
すなわち本発明に係るポケット型ファイルは、表裏のシート間に収納領域を形成するとともに前記両シートの端縁間に前記収納領域に収納物を挿入するための開口部を形成したポケットと、このポケットの開口部から前記収納領域内に挿入された中紙とを備えたポケット型ファイルであって、前記中紙が、前記収納領域の略全域に対応する面積を有した折り畳み部分のない単葉体であり、この中紙及び前記シートの少なくとも一方に、前記中紙と前記シートの全面的な密着を抑止して前記開口部における前記中紙と前記シートとの間に隙間を形成するための隙間形成要素を設けたことを特徴とする。
【００１１】
このようなものであれば、表裏のシート間に形成された隙間から紙葉類を容易に挿入することができる。加えて中紙が折り返し部分のない単葉体であるので、隙間へ挿入する紙葉類は中紙に何ら干渉されることなくスムーズに収納領域内へ収納させることができる。すなわち本発明に寄れば、簡素な構成としながらも、収納領域への書類の挿入を容易に行い得るポケット型ファイルを提供することが可能となる。
【００１２】
既存の構成を有効に利用しつつ容易に上述した効果を得るためには、隙間形成要素を、中紙に設けることが望ましい。
【００１３】
中紙に設けた隙間要素のうち、容易に隙間を形成し得る一態様として、隙間形成要素が少なくとも開口部の開口縁近傍で中紙を厚み方向に凹凸変形させた凹凸部分であり、この凹凸部分が開口部の開口縁に直交する方向に延びる態様を挙げることができる。
【００１４】
また、紙葉類を中紙の表裏を問わずどちら側へでも容易に収納領域へ挿入することができるようにするためには、隙間形成要素を複数の凹凸部分を有するものとし、凹凸部分を、表のシートへ向かって突出する凸要素及び裏のシートへ向かって突出する凹要素を有している構成とすることが望ましい。
【００１５】
また、挿入動作の際、開口部において両シートの縁が紙葉類に干渉され難いようにするためには、中紙を、収納領域の全域に亘って挿入される挿入部分と、この挿入部分を挿入した状態で開口部から収納領域の外側に露出する露出部分を有するものとし、隙間形成要素を挿入部分及び露出部分に亘って設けておくことが好ましい。
【００１６】
また、両シートの両端に亘って開口部の何れの箇所からも容易に紙葉類を挿入し得るようにするためには、隙間形成要素を、収納領域内における開口部近傍で当該開口部を形成する両シートの開口縁の延出方向に沿って中紙を厚み方向に変形させた厚み変形部分とすることが望ましい。
【００１７】
また、ポケットの厚みに何ら影響を与えることなく隙間を形成できるようにするためには、中紙を、収納領域の全域に亘って挿入される挿入部分と、この挿入部分を挿入した状態で開口部から収納領域の外側に露出する露出部分を有するものとし、隙間形成要素を、挿入部分及び露出部分に亘って中紙に設けられた孔である隙間形成孔とすれば、中紙の厚みに応じた隙間を隙間形成孔の箇所に設けることができる。
【発明の効果】
【００１８】
本発明によれば、簡素な構成としながらも収納領域への書類の挿入を容易に行い得るポケット型ファイルを提供することができる。
【図面の簡単な説明】
【００１９】
【図１】本発明の第一実施形態に係る斜視図。
【図２】同実施形態に係る正面図。
【図３】同実施形態に係る要部の拡大図。
【図４】同実施形態に係る模式的な平面図。
【図５】同実施形態に係る作用説明図。
【図６】本発明の第二実施形態に係る正面図。
【図７】同実施形態に係る模式的な平面図。
【図８】同実施形態に係る作用説明図。
【図９】本発明の第三実施形態に係る正面図。
【図１０】同実施形態に係る作用説明図。
【図１１】本発明の第四実施形態に係る正面図。
【図１２】同実施形態に係る作用説明図。
【図１３】本発明とは異なる参考例に係る作用説明図。
【発明を実施するための形態】
【００２０】
＜第一実施形態＞
以下、本発明の第一実施形態について図面を参照して説明する。
【００２１】
本実施形態に係るポケット型ファイルは図１〜図５に示すように、例えばクリヤーファイル用リフィルとも称されるものであり、ポケット２を構成する透明の表裏のシート２ａ、２ｂの間に設けられた収納領域２０内に中紙３を挿入したものであり、この中紙３が一部露出しているポケット２の開口部２１から、紙葉類Ｐを容易に出し入れすることができるものである。なお本実施形態では図２及び図３において一部を破断して示すことにより、ポケット２内部の構成を一部示している。
【００２２】
ポケット２は、例えばポリプロピレンといった合成樹脂製の透明フィルムである表シート及び裏シートを溶着等によって貼り合わせたものである。具体的には、このポケット２は、綴じ元側の端縁である一端縁２ａ、底縁２５及び反綴じ元側の端縁である他端縁２ｂを閉塞した袋状のもので、開放させた上縁側の開口部２１から紙葉類Ｐを適宜挿入し、保管することができるものである。このポケット２の一端縁２２側には多数の綴じ孔２６、例えば３０個の綴じ孔２６が所定間隔で設けた綴じ領域２４を設けている。綴じ孔２６は、上下一列に等間隔に設けられた計３０の綴じ孔２６のうち、上下端部近傍の２個の綴じ孔２６及び中央付近の２個の綴じ孔２６の径が他の綴じ孔２６よりも大きく設定されている。すなわち当該ポケット２はこの綴じ領域２４によって、綴じ桿が２本や４本の綴じ具を具備する図示しないファイルにも、例えば図示しないリングファイルと呼ばれるものに配される３０本の綴じリングを有するタイプの綴じ具にも好適に綴じられる。この綴じ領域２４は、綴じ孔２６の周囲の領域を両シート２ａ、２ｂを点状に溶着によって接合させて設けているが勿論、この綴じ領域２４は複数の綴じ孔２６を有していれば、一端縁２２近傍のみを溶着するのみの構成としても良い。底縁２５は、両シート２ａ、２ｂの底縁沿いに、いわゆる概略ミシン目形状に形成された溶着跡である接合線２７からなる。正確にはこの接合線２７は小さい矩形状の孔を熱により穿つことにより当該孔の周辺部位を溶着することにより中紙３や紙葉類Ｐが抜け落ちないようにしている。また本実施形態では開口２１をポケット２を構成する両シート２ａ、２ｂの上端２ｃ、２ｄのみに設けているが勿論、上縁から他端縁２３側の一部にも亘って開放させても良い。つまり開口部２１とは、両シート２ａ、２ｂの少なくとも上端２ｃ、２ｄが開放され、且つ収納領域２０に中紙３及び紙葉類Ｐを保持し得るものであればよい。
【００２３】
ここで、本実施形態に係るポケット型ファイル１は、中紙３が、収納領域２０の略全域に対応する面積を有した折り畳み部分のない単葉体であり、この中紙３に、中紙３とシート２ａ、２ｂの全面的な密着を抑止して開口部２１における中紙３とシート２ａ、２ｂとの間に隙間ｓを形成するための隙間形成要素Ｘを設けたことを特徴とする。以下、中紙３及び当該中紙３に設けられた隙間形成要素Ｘの構成について説明する。
【００２４】
中紙３は、上述の通り収納領域２０の略全域に対応する面積を少なくとも有し、且つ、折り畳み部分を有さない構成としている。本実施形態では中紙３は、収納領域２０の略全域に挿入される挿入部分３１と、開口部２１から上方へ露出する露出部分３２と、これら挿入部分３１及び露出部分３２に亘る、換言すれば開口部２１を跨ぐ箇所に、幅方向に間欠的に紙素材を厚み方向に凹凸変形させた、隙間形成要素Ｘたる凹凸部分３３とを有している。挿入部分３１は、本実施形態では収納領域２０の形状に略対応した矩形状のものを図示しているが勿論、角部分にアールを設けたり、開口や切欠を適宜設けたりするなど、紙葉類Ｐの挿抜に干渉しない範囲で正面視形状を適宜変形させても良い。露出部分３２は、本実施形態では開口部２１すなわち両シート２ａ、２ｂの上端２ｃ、２ｄから約５ｍｍ程度上側へはみ出したものとしているが、このような露出部分３２の寸法は、例えばポケット型ファイル１を閉じる表紙体から大きくはみ出してしまわなければ正面視形状は適宜変更し得る。凹凸部分３３は、開口部２１の開口縁たる上端２ｃ、２ｄを跨ぐように上下方向に延びる複数の凸要素３４及び凹要素３５とを、例えば中紙３の少なくとも一部にプレス加工を施すことにより設けたものである。
【００２５】
しかして本実施形態では特に図４及び図５に示すように、これら凸要素３４及び凹要素３５を等間隔に且つ交互に配することにより、中紙３と表シート２ａの間にも、中紙３と裏シート２ｂとの間にも開口部２１に隙間ｓを形成し得るものとしている。これにより特に図５に示すように、当該ポケット型ファイル１に紙葉類Ｐを挿入するときには、露出部分３２に紙葉類Ｐの先端を沿わせるようにして収納領域２０へ向けて紙葉類Ｐを移動させていけば、紙葉類Ｐは凸要素３４同士又は凹要素３５同士に形成された表シート２ａ中紙３間の開口部２１に対しても、裏シート２ｂ中紙３間の開口部２１に対しても、形成された隙間ｓを利用して容易に紙葉類Ｐを挿入し、収納領域２０に収納させることができる。
【００２６】
以上のような構成とすることにより、本実施形態に係るポケット型ファイル１は、表裏のシート２ａ、２ｂ間に形成された隙間ｓから紙葉類Ｐを容易に挿入することができる。加えて中紙３が折り返し部分のない単葉体であるので、隙間ｓへ挿入する紙葉類Ｐは中紙３に何ら干渉されることなくスムーズに収納領域２０内へ収納させることができる。すなわち本実施形態では簡素な構成としながらも、収納領域２０への書類の挿入を容易にすることを実現している。
【００２７】
既存の構成を有効に利用しつつ容易に上述した効果を実現するために本実施形態では、隙間形成要素Ｘを、中紙３に設けている。
【００２８】
中紙３に設けた隙間形成要素Ｘを容易に設け得る一態様として本実施形態では、隙間形成要素Ｘが少なくとも開口部２１の開口縁近傍で中紙３を厚み方向に凹凸変形させた凹凸部分３３であり、この凹凸部分３３が開口部２１の開口縁に直交する方向に延びる態様を適用している。
【００２９】
また、紙葉類Ｐを中紙３の表裏を問わずどちら側へでも容易に収納領域２０へ挿入することができるようにするために本実施形態では、隙間形成要素Ｘを凹凸部分３３を複数有するものとし、凹凸部分３３を、表シート２ａへ向かって突出する凸要素３４及び裏シート２ｂへ向かって突出する凹要素３５を有している構成を適用している。
【００３０】
特に本実施形態では、挿入動作の際、開口部２１において両シート２ａ、２ｂの縁が紙葉類Ｐに干渉され難いようにするために、中紙３を、収納領域２０の全域に亘って挿入される挿入部分３１と、この挿入部分３１を挿入した状態で開口部２１から収納領域２０の外側に露出する露出部分３２を有するものとし、隙間形成要素Ｘを挿入部分３１及び露出部分３２に亘って設けている。これにより、挿入される紙葉類Ｐが露出部分３２から挿入部分３１へと開口部２１を通過する際にスムーズに案内される。
【００３１】
＜第二実施形態＞
以下、本発明の第二実施形態及び他の実施形態について順次説明していくが、これら各実施形態について、上記実施形態の構成要素に相当するものに対しては同じ符号を付すとともに、その詳細な説明を省略する。当該第二実施形態について、上記実施形態では中紙３の露出部分３２及び挿入部分３１に亘って形成された隙間形成要素Ｘについて説明したが、勿論隙間ｓが形成されるものであれば、露出部分３２に隙間形成要素Ｘを形成する必要はない。
【００３２】
本発明の第二実施形態に係るポケット型ファイル１を構成する中紙３は、図６、図７及び図８に示すように、隙間形成要素Ｘが、収納領域２０内における開口部２１近傍で当該開口部２１を形成する両シート２ａ、２ｂの開口縁たる上端２ｃ、２ｄの延出方向に沿って中紙３を厚み方向に変形させた厚み変形部分たる隙間形成線３６としている。またこの隙間形成線３６は、中紙３を厚み方向に表シート２ａへ向けて突出させている、上記実施形態の凸要素３４に相当するものであるが勿論裏シート２ｂ側へ突出させた上記実施形態の凹要素３５に相当する隙間形成線３６としても良い。この隙間形成線３６は、中紙３の幅方向全域に亘って設けられているので、図７及び図８に示すように、開口部２１の幅方向何れの位置からであっても、中紙３と表シート２ａとの間に設けられた隙間ｓを利用して紙葉類Ｐを容易に挿入することができる。
【００３３】
特に本実施形態にて示す中紙３であれば、例えば中紙３と裏シート２ｂとの間に、予めポケット型ファイル１内の紙葉類Ｐたる書類の記載内容を示すような見出し部分や表紙部分が挿入されていたり、中紙３の裏面側自体に当該見出し部分や表紙部分が印刷されていたりするような時には好適に利用し得る。本実施形態の中紙３であれば、図示では表シート２ａと中紙３間のみに隙間ｓを形成することによって、使用者が格別の配慮を要さずとも、ポケット型ファイル１に設定される所望の箇所へ紙葉類Ｐを挿入し得る。換言すれば、中紙３の表裏何れか一方への挿入を促しつつ他方への挿入を抑制することで、一例では見出し部分が常に裏シート２ｂを介して視認可能な状態に維持されるといった、個々のポケット型ファイル１に使用者側で設定された機能が安定して維持される。
【００３４】
＜第三実施形態＞
上記各実施形態では中紙３を厚み方向に変形させることで隙間形成要素Ｘを設けた態様を開示した。上記の各態様では、形成される隙間ｓによってポケット型ファイル１自体の厚みが僅かとはいえ、形成される隙間ｓに応じて増えるものである。これら実施形態に対し本発明の第三実施形態は、ポケット型ファイル１自体の厚み寸法をなんら増加させることなく、隙間ｓを形成し得るものである。
【００３５】
すなわち本実施形態に係るポケット型ファイル１を構成する中紙３は、図９及び図１０に示すように、収納領域２０の全域に亘って挿入される挿入部分３１と、この挿入部分３１を挿入した状態で開口部２１から収納領域２０の外側に露出する露出部分３２を有するものであり、隙間形成要素Ｘが、挿入部分３１及び露出部分３２に亘って中紙３に設けられた孔である隙間形成孔３７としている。ここで本実施形態では隙間形成孔３７を中紙３の幅方向中央にのみ設けた態様を開示しているが勿論、幅方向の何れの位置であっても、また複数の隙間形成孔３７を間欠的に設けたものであっても良い。
【００３６】
斯かる本実施形態の構成により、中紙３の厚みに応じた隙間ｓを隙間形成孔３７の箇所に設けることができる。そして図１０に示すように、隙間形成孔３７の箇所に紙葉類Ｐの角部分を差し込むように露出部分３２から紙葉類Ｐを挿入していけば、当該紙葉類Ｐはスムーズに隙間形成孔３７に案内されながら形成された隙間ｓを利用して容易に収納領域２０内に収納される。また本実施形態では上記第一実施形態同様、隙間ｓを利用して中紙３と表シート２ａ間、中紙３と裏シート２ｂ間何れにも紙葉類Ｐを容易に挿入し得る。
【００３７】
＜第四実施形態＞
上記各実施形態では、何れも中紙３側に隙間形成要素Ｘを設けた態様を開示したが勿論、図１１及び図１２に示すポケット型ファイル１のように中紙３側になんら格別の構成を設けず従来同様のものを用いても本発明に係る隙間形成要素Ｙを設けることができる。
【００３８】
すなわち本発明の第三実施形態に係るポケット型ファイル１は、図１１及び図１２に示すように隙間形成要素Ｙをポケット２側に設けたものである。本実施形態では、隙間形成要素Ｙを、表裏のシート２ａ、２ｂにおける開口部２１を形成する開口縁たる上端２ｃ、２ｄ又は当該上端２ｃ、２ｄの近傍でシート２ａ、２ｂを厚み方向に変形させたシート側隙間形成部としている。具体的に説明すると、本実施形態ではこのシート側隙間形成部として、表裏のシート２ａ、２ｂの両端縁２２、２３近傍において当該シート２ａ、２ｂを折り曲げた隙間形成用折り線２ｅ、２ｆとしている。この隙間形成用折り線２ｅ、２ｆは、本実施形態では、両シート２ａ、２ｂにそれぞれ折り方向が反対となるように形成されている。当該折り方向とは、両シート２ａ、２ｂが折られることにより折り線２ｅ、２ｆが外方へ突出する、所謂山方向の折り線２ｅ、２ｆである。本実施形態ではこれら隙間形成用折り線２ｅ、２ｆを、一端縁２２近傍に設けた一端側折り線２ｅと、他端縁２３近傍に設けた他端側折り線２ｆとして形成している。これら隙間形成用折り線２ｅ、２ｆを両シート２ａ、２ｂに設けることにより本実施形態では図１２に示すように、中紙３表シート２ａ間、中紙３裏シート２ｂ間共に隙間ｓを形成することができる。また勿論、当該隙間形成用折り線２ｅ、２ｆを何れか一方のシート２ａ、２ｂのみに形成することにより上記第二実施形態同様、中紙３の表裏何れかのみに優先して紙葉類Ｐの挿入を促したいという目的にも応じうる。
【００３９】
以上、本発明の実施形態について説明したが、各部の具体的な構成は、上述した実施形態のみに限定されるものではなく、本発明の趣旨を逸脱しない範囲で種々変形が可能である。上記第三実施形態ではポケット型ファイルの厚みを変更させないための隙間形成要素として隙間形成孔を開示したが、勿論、露出部分から挿入部分に亘る切欠を設け、当該切欠を隙間形成用切欠としても良い。斯かる構成であっても、上記隙間形成孔と同様の作用効果を奏し得る。
【００４０】
また例えば、上記実施形態では中紙又はポケットのどちらか一方のみに隙間形成要素を設けた態様を開示したが、勿論、両方に隙間形成要素を形成したものであってもよい。またポケットや中紙の具体的な態様は上記実施形態のものに限定されることはなく、既存のものを含め、種々の態様のものを適用することができる。
【００４１】
その他、各部の具体的構成についても上記実施形態に限られるものではなく、本発明の趣旨を逸脱しない範囲で種々変形が可能である。
【００４２】
＜参考例＞
以下、上記本発明には含まれない参考例について、図１３を参照し説明する。同図では、図１２に示すポケット型ファイル１から、中紙３を除いた態様のポケット２のみを図示している。すなわち、中紙３の無いポケット２へ紙葉類Ｐを挿入する態様を示している。
【００４３】
つまり、本参考例に係るファイル用のポケット２は、例えば正面視略同形状をなす表裏のシート２ａ、２ｂによって構成される。
【００４４】
当該本参考例に係るファイル用のポケット２は、間に収納領域２０を形成するとともに両シート２ａ、２ｂの端縁間に収納領域２０に収納物たる紙葉類Ｐを挿入するための開口部２１を形成したファイル用のポケット２であって、表裏のシート２ａ、２ｂの少なくとも一方に対し厚み方向に変形させることにより、両シート２ａ、２ｂの全面的な密着を抑止して開口部２１における両シート２ａ、２ｂの間に隙間ｓを形成するための隙間形成要素Ｙを設けた。
【００４５】
このファイル用のポケット２は、本参考例では、図１３に示すように、隙間形成要素Ｙを、表裏のシート２ａ、２ｂにおける開口部２１を形成する開口縁たる上端２ｃ、２ｄ又は当該上端２ｃ、２ｄの近傍でシート２ａ、２ｂを厚み方向に変形させたシート側隙間形成部としている。具体的に説明すると、本実施形態ではこのシート側隙間形成部として、表裏のシート２ａ、２ｂの両端縁２２、２３近傍において当該シート２ａ、２ｂを折り曲げた隙間形成用折り線２ｅ、２ｆとしている。この隙間形成用折り線２ｅ、２ｆは、本実施形態では、両シート２ａ、２ｂにそれぞれ折り方向が反対となるように形成されている。当該折り方向とは、両シート２ａ、２ｂが折られることにより折り線２ｅ、２ｆが外方へ突出する、所謂山方向の折り線２ｅ、２ｆである。本実施形態ではこれら隙間形成用折り線２ｅ、２ｆを、一端縁２２近傍に設けた一端側折り線２ｅと、他端縁２３近傍に設けた他端側折り線２ｆとして形成している。これら隙間形成用折り線２ｅ、２ｆを両シート２ａ、２ｂに設けることにより本実施形態では図１３に示すように、厚み方向に大きく隙間ｓを形成することができる。また勿論、当該隙間形成用折り線２ｅ、２ｆを何れか一方のシート２ａ、２ｂのみに形成することにより隙間ｓを形成する態様としても良い。
【００４６】
以上のような構成であっても、上記実施形態並びに各変形例同様、紙葉類Ｐの容易な挿入を実現することができる。
【産業上の利用可能性】
【００４７】
本発明は紙葉類を収容した状態で保管しておくためのクリヤーブック用リフィル等のポケット型ファイルとして利用することができる。
【符号の説明】
【００４８】
１…ポケット型ファイル
２…ポケット
２ａ…表のシート（表シート）
２ｂ…裏のシート（裏シート）
２０…収納領域
２１…開口部
２２…端縁（一端縁）
２３…端縁（他端縁）
３…中紙
３１…挿入部分
３２…露出部分
Ｘ…中紙側隙間形成要素（隙間形成要素）
３３…凹凸部分
３４…凸要素
３５…凹要素
３６…厚み変形部分（隙間形成線）
３７…隙間形成孔
ｓ…隙間
Ｙ…シート側隙間形成要素（隙間形成要素）
２ｅ…シート側隙間形成要素（表折り線）
２ｆ…シート側隙間形成要素（裏折り線）
【図１】
2017105033.tif 000003
【図２】
2017105033.tif 000004
【図３】
2017105033.tif 000005
【図４】
2017105033.tif 000006
【図５】
2017105033.tif 000007
【図６】
2017105033.tif 000008
【図７】
2017105033.tif 000009
【図８】
2017105033.tif 000010
【図９】
2017105033.tif 000011
【図１０】
2017105033.tif 000012
【図１１】
2017105033.tif 000013
【図１２】
2017105033.tif 000014
【図１３】
2017105033.tif 000015